(57)【要約】【課題】  ＩＣタグが保持しているデータを読み取り、ＩＣタグリーダを持たない携帯電話機に渡すことができるＩＣタグリーダを提供する。【解決手段】  ＩＣタグリーダ１のＣＰＵ１１は、データを保持しているＩＣタグ２からデータを読み取り、このデータを、第１変換テーブル１４２または第２変換テーブル１４３を用いて変換してシリアル信号を生成し、このシリアル信号を、ＣＰＵ３１の動作モードがエミュレーションモードの携帯電話機３へ送信する。エミュレーションモードのＣＰＵ３１は、受信したシリアル信号を、操作信号を一時的に退避するためのキーバッファ３６１に退避する。【選択図】      図１
2005242921.tif 000002
【特許請求の範囲】
【請求項１】
情報を保持しているＩＣタグから前記情報を表すデータを読み取る読み取り手段と、
前記読み取り手段により読み取られたデータを変換して、携帯電話機に前記データが表す情報を入力するときに前記携帯電話機の操作部から出力される操作信号と同一内容の信号を得る変換手段と、
前記変換手段により得られた信号を携帯電話機へ送信する送信手段と
を有するＩＣタグリーダ。
【請求項２】
データと、携帯電話機に該データが表す情報を入力するときに前記携帯電話機の操作部から出力される信号と該データとを対応付けた変換テーブルを、情報と操作信号との対応関係が共通している携帯電話機のグループ毎に記憶している記憶手段と、
前記記憶手段に記憶されている変換テーブルから１つの変換テーブルを選択する選択手段と
を有し、
前記変換手段は前記選択手段により選択された変換テーブルを用いて、前記読み取り手段により読み取られたデータを変換する
ことを特徴とする請求項１に記載のＩＣタグリーダ。
【請求項３】
前記グループを示す識別子を受信する受信手段を有し、
前記選択手段は、前記受信手段が受信した識別子に基づいて１つの変換テーブルを選択する
ことを特徴とする請求項２に記載のＩＣタグリーダ。
【発明の詳細な説明】
【技術分野】
【０００１】
本発明はＩＣタグリーダに関する。
【背景技術】
【０００２】
ＩＣタグは書き込まれたデータを保持する不揮発性の半導体メモリを有し、外部の機器との間でデータを送受信することができる。このＩＣタグと通信してＩＣタグの半導体メモリからデータを読み出すことができる装置をＩＣタグリーダという。近年、このようなＩＣタグとＩＣタグリーダとを用いて各種のシステムが構築および提案されている。
【０００３】
例えば、特許文献１には、商品に当該商品の情報を保持しているＩＣタグを付しておき、このＩＣタグを用いて当該商品の情報を消費者に提供するシステムが開示されている。このシステムにおいて、消費者は、ＩＣタグリーダを用いてＩＣタグから情報を読み出す。このＩＣタグリーダは携帯電話機に内蔵されており、読み出された情報は携帯電話機の表示部に表示される。
【特許文献１】特開２００２−８３２５０号公報
【発明の開示】
【発明が解決しようとする課題】
【０００４】
ところで、個人が携帯する情報端末として携帯電話機が普及している。したがって、特許文献１に記載されているように、ＩＣタグからデータを読み出して表示する機能を携帯電話機に搭載することができれば便利である。
しかし、特許文献１に記載のシステムではＩＣタグリーダを内蔵した携帯電話機が必要となる。したがって、携帯電話機の製造者は新たな仕様の携帯電話機を製造しなければならない。また、消費者は既存の携帯電話機を所有していたとしても、ＩＣタグリーダを内蔵した携帯電話機を新たに購入しなければならない。
【０００５】
本発明は、上述した背景の下になされたものであり、ＩＣタグが保持しているデータを読み取り、ＩＣタグリーダを持たない携帯電話機に渡すことができるＩＣタグリーダを提供することを目的とする。
【課題を解決するための手段】
【０００６】
本発明は、上記の課題を解決するために、ＩＣタグリーダと携帯電話機とを別体構成とするアプローチを採っている。両者を別体構成とした場合、両者間でデータを送受信する必要がある。この送受信を可能とするために携帯電話機のハードウェアを改変しなければならないとすれば、上記の課題を解決したことにはならない。
【０００７】
そこで、本発明は、情報を保持しているＩＣタグから前記情報を表すデータを読み取る読み取り手段と、前記読み取り手段により読み取られたデータを変換して、携帯電話機に前記データが表す情報を入力するときに前記携帯電話機の操作部から出力される操作信号と同一内容の信号を得る変換手段と、前記変換手段により得られた信号を携帯電話機へ送信する送信手段とを有するＩＣタグリーダを提供する。
【０００８】
このＩＣタグリーダは、ＩＣタグから読み取ったデータを変換して得られた信号を携帯電話機へ送信する。この変換により得られる信号は当該データで表される情報に応じた操作信号と同一内容となる。一般的な携帯電話機は受信した信号を操作信号とみなす機能を有するから、携帯電話機において、当該データで表される情報に応じた操作信号が入力された場合と同一の結果が得られる。よって、このＩＣタグリーダによれば、ＩＣタグから読み取ったデータを、ＩＣタグリーダを持たない一般的な携帯電話機に正しく渡すことができる。
【０００９】
また、上記のＩＣタグリーダにおいて、データと、携帯電話機に該データが表す情報を入力するときに該携帯電話機の操作部から出力される信号と前記データとを対応付けた変換テーブルを、情報と操作信号との対応関係が共通している携帯電話機のグループ毎に記憶している記憶手段と、前記記憶手段に記憶されている変換テーブルから１つの変換テーブルを選択する選択手段とを設け、前記変換手段が前記選択手段により選択された変換テーブルを用いて、前記読み取り手段により読み取られたデータを変換する、ようにしてもよい。
このＩＣタグリーダによれば、任意の携帯電話機に対して上記の効果を得ることができる。
【００１０】
また、このＩＣタグリーダにおいて、前記グループを示す識別子を受信する受信手段を設け、前記選択手段が、前記受信手段が受信した識別子に基づいて１つの変換テーブルを選択する、ようにしてもよい。
このＩＣタグリーダによれば、ユーザに負担をかけることなく、上記の効果を得ることができる。
【発明を実施するための最良の形態】
【００１１】
以下、図面を参照して、本発明の一実施形態について説明する。
［１：構成］
図１から明らかなように、本実施形態に係るＩＣタグリーダ１は近傍のＩＣタグ２からデータを読み取り、シリアル接続された携帯電話機３へ出力する。なお、ＩＣタグリーダ１と携帯電話機３とがシリアル接続されていれば、両者間でシリアル信号を送受信することができる。
【００１２】
ＩＣタグ２は、書き込まれたデータを保持する不揮発性の半導体メモリ２１を有し、外部の機器との間で誘導電磁界を用いて通信することができる。このＩＣタグ２は商品に付されており、半導体メモリ２１には、この商品の商品名および価格を表すデータが書き込まれている。このデータにおいては、商品名および価格を表す文字列が２バイトのＡＳＣＩＩ（American Standard Code for Information Interchange）コードで表現されている。
【００１３】
携帯電話機３は後述の第２グループに属する携帯電話機であり、図２に示すように、ＣＰＵ（中央処理装置）３１、オペレーティングシステムが書き込まれたＲＯＭ（Read Only Memory）３２、シリアルＩ／Ｆ（インターフェイス）３３、ユーザに操作される操作部３４、ＥＥＰＲＯＭ（Electrically Erasable Programmable ROM）３５、ＲＡＭ（Random Access Memory）３６、移動通信網の基地局とＣＰＵ３１との間でデータを中継する無線部３７、画面を表示するディスプレイ３８、音声通話のための音声入出力部（図示略）、及び携帯電話機３の各部に電力を供給する電源（図示略）を有する。
【００１４】
ＣＰＵ３１はＲＯＭ３２からオペレーティングシステムを読み出して実行する。以降に述べるＣＰＵ３１の機能はオペレーティングシステムを用いて実現される。
シリアルＩ／Ｆ３３はシリアル接続のためのコネクタ３３１を備えており、コネクタ３３１を用いてシリアル接続された機器とＣＰＵ３１との間でシリアル信号を中継する。
【００１５】
操作部３４はユーザに押下される複数のキーを備え、キーが操作されると、その操作内容に応じたキーイベントを発生させ、このキーイベントを制御コードで表現した操作信号を出力する。操作部３４にて発生し得るキーイベントとしては、ひらがな、カタカナ、英字、数字、記号などの文字を入力するキーイベントや、入力する文字の種別を切り替えるキーイベント、ディスプレイ３８に表示中の画面においてカーソルを移動させるキーイベント等の各種のキーイベントがある。これらのキーイベントの各々に固有の制御コードが割り当てられている。
【００１６】
ＥＥＰＲＯＭ３５にはモードフラグ３５１及び入力プログラム３５２が書き込まれている。モードフラグ３５１はＣＰＵ３１の動作モードを示すフラグであり、ＣＰＵ３１はモードフラグ３５１が示す動作モードで動作する。ＣＰＵ３１の動作モードには通常モードとエミュレーションモードとがあり、初期状態では、モードフラグ３５１は通常モードを示している。入力プログラム３５２は後述の第２グループに対応したプログラムであり、ＣＰＵ３１は入力プログラム３５２を用いて後述の動作を行う。
【００１７】
ＲＡＭ３６にはＣＰＵ３１によりキーバッファ３６１及びシリアルバッファ３６２が確保される。キーバッファ３６１及びシリアルバッファ３６２は共にＦＩＦＯ（First In First Out）のバッファであり、キーバッファ３６１は操作信号を一時的に退避するために、シリアルバッファ３６２はシリアル信号を一時的に退避するために用いられる。
【００１８】
ＣＰＵ３１は操作部３４から出力された操作信号を受け取ってキーバッファ３６１に書き込む。
また、ＣＰＵ３１はコネクタ３３１を用いてシリアル接続が為されると、これを検出する。また、ＣＰＵ３１はシリアルＩ／Ｆ３３を介してシリアル信号を受信してＲＡＭ３６に書き込む。この書き込み先の領域はＣＰＵ３１の動作モードに応じて異なる。動作モードが通常モードの場合にはシリアルバッファ３６２が書き込み先となり、エミュレーションモードの場合にはキーバッファ３６１が書き込み先となる。
【００１９】
また、ＣＰＵ３１はキーバッファ３６１から信号を書き込み順に読み出し、読み出した信号が表している制御コードを取得する。この制御コードを用いることにより、ＣＰＵ３１はユーザが入力した指示を特定することができる。また、ＣＰＵ３１は、ユーザが入力した指示が入力プログラム３５２の実行指示であれば、ＥＥＰＲＯＭ３５から入力プログラム３５２を読み出して実行する。また、ＣＰＵ３１は、入力プログラム３５２の実行中にあっては、ユーザが入力した指示の特定を、入力プログラム３５２を用いて行う。
【００２０】
また、ＣＰＵ３１は、ユーザが入力した指示に従って、移動通信網経由でプログラムを受信し、受信したプログラムをＥＥＰＲＯＭ３５に書き込むことができる。入力プログラム３５２は、こうしてＥＥＰＲＯＭ３５に書き込まれたプログラムである。また、ＣＰＵ３１は、ユーザが入力した指示に従って、発呼処理や着呼処理、音声通話処理、終話処理などの、一般的な携帯電話機のＣＰＵが行っている処理を行うことができる。
【００２１】
ＩＣタグリーダ１は、図３に示すように、ＣＰＵ１１、ＩＣタグ２とＣＰＵ１１との間で通信を中継するＩＣタグＩ／Ｆ１２、シリアルＩ／Ｆ１３、ＥＥＰＲＯＭ１４、入力ボタン１５、出力ボタン１６、及びＩＣタグリーダ１の各部に電力を供給する電源（図示略）を有する。
【００２２】
シリアルＩ／Ｆ１３はコネクタ３３１に接続可能なコネクタ１３１を備えており、コネクタ１３１を用いて、シリアル接続された機器とＣＰＵ１１との間でシリアル信号を中継する。
ＥＥＰＲＯＭ１４の記憶領域にはシステムエリアＳとデータエリアＤがあり、システムエリアＳには、グループ識別子１４１、第１変換テーブル１４２、第２変換テーブル１４３、及び制御プログラム１４４が書き込まれている。
【００２３】
グループ識別子１４１は携帯電話機３が属するグループを示す。この「グループ」について説明する。
前述のように、携帯電話機３では、ひらがな、カタカナ、英字、数字、記号、改行などの文字に制御コードが割り当てられているが、この割り当てルールは、全ての携帯電話機において統一されている訳ではない。よって、例えば、一方の携帯電話機では文字「Ａ」の入力を意味する制御コードが、他方の携帯電話機では文字「Ｂ」の入力を意味することも考えられる。一方、割り当てルールを統一している団体もあるから、携帯電話機毎にＩＣタグリーダ１の動作を変えるほどのことはない。よって、本実施形態では、割り当てルール毎にグループを定め、グループ毎にＩＣタグリーダ１の動作を変えるようにしている。
【００２４】
本実施形態におけるグループには第１グループと第２グループとがあり、グループ識別子１４１は初期状態において第１グループを示している。また、第１変換テーブル１４２及び第２変換テーブル１４３は、いずれも、ＩＣタグ２において文字に割り当てられているコードに、携帯電話機において当該文字に合致するキーイベントに割り当てられている制御コードを対応付けたテーブルである。第１変換テーブル１４２は第１グループにおける割り当てルールに基づいた内容となっており、第２変換テーブル１４３は第２グループにおける割り当てルールに基づいた内容となっている。
【００２５】
また、入力ボタン１５は、ユーザに押下されると入力指示信号を出力する。出力ボタン１６はユーザに押下されると出力指示信号を出力する。ＣＰＵ１１は、これらの信号を受け取り、受け取った信号に応じた動作を行う。
【００２６】
［２：動作］
ＩＣタグ２からデータを読み取る場合、ユーザはＩＣタグリーダ１をＩＣタグ２に近接させ、入力ボタン１５を押す。これにより、入力ボタン１５から入力指示信号が出力され、ＣＰＵ１１に受け取られる。入力指示信号を受け取ったＣＰＵ１１は、ＩＣタグＩ／Ｆ１２を用いてＩＣタグ２と通信し、ＩＣタグ２の不揮発性メモリ２１に保持されているデータを受信し、受信したデータをＥＥＰＲＯＭ１４のデータエリアＤに書き込む。
【００２７】
データエリアＤに書き込まれたデータを携帯電話機３へ転送する場合、ユーザは、まず、入力プログラム３５２の実行を要求する指示を携帯電話機３に入力するために、携帯電話機３の操作部３４を操作する。すると、操作部３４にてキーイベントが発生し、このキーイベントを制御コードで表現した操作信号が操作部３４から出力される。ＣＰＵ３１は、この操作信号を受け取ってキーバッファ３６１に書き込む。
【００２８】
そして、ＣＰＵ３１はキーバッファ３６１から当該操作信号を読み出し、当該操作信号が表している制御コードを特定し、この制御コードを用いて、ユーザが入力した指示を特定する。ここで特定される指示は、入力プログラム３５２の実行を要求する指示であるから、ＣＰＵ３１はＥＥＰＲＯＭ３５から入力プログラム３５２を読み出して実行する。これにより、ＣＰＵ３１は図４に示す入力処理を開始する。以降に述べるＣＰＵ３１の動作は入力処理における動作である。
【００２９】
ＣＰＵ３１は、まず、初期化処理を行う（ステップＳＡ１）。
初期化処理において、ＣＰＵ３１は、エミュレーションモードを示すモードフラグでＥＥＰＲＯＭ３５上のモードフラグ３５１を上書きする。これにより、モードフラグ３５１は、通常モードを示すものからエミュレーションモードを示すものに更新される。また、ＣＰＵ３１はディスプレイ３８に図５に示す画面を表示させる。この画面には、文字列が流し込まれる文字領域Ｐ、及びデータを保存するための保存ボタンＢが設けられている。  以降、ＣＰＵ３１はシリアル接続が為されたことを検出するまで待機する（ステップＳＡ２：ＮＯ）。
【００３０】
次に、ユーザはＩＣタグリーダ１の出力ボタン１６を押す。これにより、出力ボタン１６から出力指示信号が出力される。ＣＰＵ１１は、この出力指示信号を受け取り、図６に示す出力処理を開始する。以降に述べるＣＰＵ１１の動作は出力処理における動作である。
この出力処理において、ＣＰＵ１１は、まず、シリアルＩ／Ｆ１３経由でグループ識別子を受信するまで待つ（ステップＳＢ１、ＳＢ２：ＮＯ）。
【００３１】
次に、ユーザは、ＩＣタグリーダ１のコネクタ１３１と携帯電話機３のコネクタ３３１とを接続する。これにより、ＩＣタグリーダ１と携帯電話機３とがシリアル接続される。すると、携帯電話機３のＣＰＵ３１はシリアル接続が為されたことを検出し、第１グループのグループ識別子をシリアルＩ／Ｆ３３経由で送信する（ステップＳＡ３）。
【００３２】
ＩＣタグリーダ１のＣＰＵ１１は、このグループ識別子をシリアルＩ／Ｆ１３経由で受信し、システムエリアＳ内のグループ識別子１４１に上書きする（ステップＳＢ１、ＳＢ２：ＹＥＳ、ＳＢ３）。この結果、グループ識別子１４１は第１グループを示すものから第２グループを示すものに更新される。
【００３３】
次に、ＣＰＵ１１は、グループ識別子１４１により示されているグループが第１グループであるか否かを判定し（ステップＳＢ４）、この判定結果が「ＹＥＳ」であれば第１の送信処理、「ＮＯ」であれば第２の送信処理を行う。ここでは、グループ識別子１４１が第２グループを示しているから、この判定結果は「ＮＯ」となる。よって、ＣＰＵ１１は第２の送信処理を行う（ステップＳＢ５）。なお、第１の送信処理と第２の送信処理との相違点は、第１の送信処理では第１の変換テーブルが用いられるのに対して、第２の送信処理では第２の変換テーブルが用いられる点のみである。
【００３４】
第２の送信処理において、ＣＰＵ１１は、データエリアＤからデータを書き込み順に読み出し、第２変換テーブル１４３を用いてシリアル信号に変換し、このシリアル信号をシリアルＩ／Ｆ１３経由で送信し、出力処理を終了する。なお、ＣＰＵ１１は、送信処理を終了する前に、読み出したデータをデータエリアＤから削除する。上記のシリアル信号への変換では、データエリアＤから読み出したデータは、当該データで表されている文字列を入力しようとするユーザが第２グループに属する携帯電話機の操作部を正しく操作した場合に当該操作部から出力される操作信号と同一内容のシリアル信号に変換される。
【００３５】
携帯電話機３のＣＰＵ３１は、上記のシリアル信号をシリアルＩ／Ｆ３３経由で受信してキーバッファ３６１に書き込む（ステップＳＡ４）。次に、ＣＰＵ３１は、キーバッファ３６１から信号を書き込み順に読み出し（ステップＳＡ５）、読み出した信号が表している制御コードを取得し、取得した制御コードを用いて、ユーザが入力した指示を特定する。ここで特定される指示は、当該制御コードで表される文字列を入力する旨の指示であるから、ＣＰＵ３１は、この文字列をＲＡＭ３６に書き込み、図７に示す画面をディスプレイ３８に表示させる（ステップＳＡ６）。この画面の文字領域Ｐには当該文字列が流し込まれており、ユーザは、この文字列を参照することにより、ＩＣタグ２が付された商品の商品名および価格を把握することができる。なお、読み出されたシリアル信号はキーバッファ３６１から削除される。
【００３６】
次に、ＣＰＵ３１は、終了ボタンＢを押下する旨の指示がユーザにより入力されるまで待機し、当該指示が入力されると、ＲＡＭ３６上の上記文字列をＥＥＰＲＯＭ３５上に移動し、入力処理を終了する（ステップＳＡ７、ＳＡ８）。ＥＥＰＲＯＭ３５上の上記文字列は携帯電話機３の電源が切れても消えないから、再利用可能である。
【００３７】
以上説明したように、本実施形態によれば、ＩＣタグリーダ１のＣＰＵ１１は、データを保持しているＩＣタグ２からデータを読み取り、このデータを、第１変換テーブル１４２または第２変換テーブル１４３を用いて変換してシリアル信号を生成し、このシリアル信号を、ＣＰＵ３１の動作モードがエミュレーションモードの携帯電話機３へ送信する。このシリアル信号は、携帯電話機３においてキーバッファ３６１に退避される。よって、携帯電話機３では、当該データで表される情報を入力するために操作部３４が操作された場合と同様の結果が得られる。つまり、ＩＣタグリーダ１は、ＩＣタグから読み取ったデータを、ＩＣタグリーダを持たない携帯電話機３に正しく渡すことができる。
【００３８】
また、複数の変換テーブルを有するため、１つの変換テーブルしか持たない態様に比較して、より多くの携帯電話機に対応可能である。
また、携帯電話機３からグループ識別子を受信し、このグループ識別子に応じた変換テーブルを使用するから、ユーザが変換テーブルを指定する態様に比較して、ユーザにかかる負担を軽減することができる。
【００３９】
［３：補足］
なお、上述した実施形態では、携帯電話機３が入力プログラム３５２を入手する経路として移動通信網を採用しているが、これに限らず、携帯電話機が備えている任意のＩ／Ｆを用いることができる。例えば、入力プログラム３５２が書き込まれた外部メモリを装着し、この外部メモリから入力プログラム３５２を読み出してＥＥＰＲＯＭ３５に書き込むようにしてもよい。
【００４０】
また、上述した実施形態を以下に列記するように変形してもよい。
例えば、情報に対する制御コードの割り当てルールが完全に統一されている場合には、一方の変換テーブルだけを持つようにＩＣタグリーダ１を変形してもよい。
例えば、ＩＣタグリーダ１を変形し、シリアル接続してもグループ識別子を送ってこない携帯電話機については第１グループに属する携帯電話機とみなし、第１の送信処理を行うようにしてもよい。
【００４１】
例えば、ＩＣタグリーダ１を変形し、３つ以上の変換テーブルを用いるようにしてもよい。また、ＩＣタグリーダ１を変形し、携帯電話機に固有の識別情報（例えば製造番号）とグループとを対応付けたテーブルを用いてグループを特定するようにしてもよい。この態様では、携帯電話機が自身の識別情報を読み出してＩＣタグリーダに渡し、ＩＣタグリーダ１が当該識別情報と上記テーブルとを用いてグループを特定する。
【００４２】
例えば、ＩＣタグリーダ１から電源を取り去り、コネクタ１３１を介して携帯電話機３から電力の供給を受けるようにしてもよい。この場合、ＩＣタグ２からのデータの読み取りの際にもＩＣタグリーダと携帯電話機とがシリアル接続されている必要があるが、ＩＣタグリーダの小型化の面で有利である。
【００４３】
例えば、操作部からのデータをシリアルＩ／Ｆ３３から出力することができる携帯電話機を用いるのであれば、携帯電話機の操作部を用いてＩＣタグリーダを操作することができるから、ＩＣタグリーダ１から出力ボタン１６を取り去ることができる。また、携帯電話機から電力の供給を受ける態様であれば、入力ボタン１５を取り去ることもできる。これらの変形はＩＣタグリーダの小型化の面で有利である。
【００４４】
例えば、ＩＣタグ２とＩＣタグリーダ１とが電波を用いて通信するように変形してもよい。また、ＩＣタグ２を接触型のＩＣタグとしてもよい。この場合には、ＩＣタグリーダ１のＩＣタグＩ／Ｆ１２を接触型のＩ／Ｆとする必要がある。また、携帯電話機３とＩＣタグリーダ１との間の通信方式を任意に変更してもよい。ただし、ＩＣタグリーダからの信号を受信した携帯電話機は、この信号を当該携帯電話機の操作部から供給されたものとみなす機能（キーエミュレーション機能）を備えていなければならない。
【図面の簡単な説明】
【００４５】
【図１】本発明の一実施形態に係るＩＣタグリーダ１を用いたシステムの構成を示す図である。
【図２】同システムを構成する携帯電話機３の構成を示すブロック図である。
【図３】ＩＣタグリーダ１の構成を示すブロック図である。
【図４】携帯電話機３で行われる入力処理の流れを示すフローチャートである。
【図５】携帯電話機３に表示される画面の一例を示す図である。
【図６】ＩＣタグリーダ１で行われる出力処理の流れを示すフローチャートである。
【図７】携帯電話機３に表示される画面の一例を示す図である。
【符号の説明】
【００４６】
１…ＩＣカードリーダ、２…ＩＣタグ、３…携帯電話機、１１…ＣＰＵ、１２…ＩＣタグ／ＩＦ、１３…シリアルＩ／Ｆ、１４…ＥＥＰＲＯＭ、１５…入力ボタン、１６…出力ボタン。
【図１】
2005242921.tif 000003
【図２】
2005242921.tif 000004
【図３】
2005242921.tif 000005
【図４】
2005242921.tif 000006
【図５】
2005242921.tif 000007
【図６】
2005242921.tif 000008
【図７】
2005242921.tif 000009